(57)【要約】      （修正有）【課題】蓋に花を飾ることにより骨壷のイメージを拭い去ったオリジナルなペット用骨壷を提供する。【解決手段】上方に開口部２が形成される骨壷本体３と、この開口部２に閉塞可能とされる蓋部４と、この蓋部４に水が不要である特殊花７が飾られた構成とされる。【選択図】図１
0003142646.tif 000002
【実用新案登録請求の範囲】
【請求項１】
開口部が形成された骨壷本体と、
該骨壷本体の開口部を閉塞する蓋部と、
前記蓋部に飾られた草花とを備える
ペット用骨壷。
【請求項２】
前記蓋部、あるいは骨壷本体に画像及び文字の少なくとも一方を表したプレートが設けられた
請求項１記載のペット用骨壷。
【請求項３】
前記草花は、水が不要である
請求項１記載のペット用骨壷。
【請求項４】
前記草花は、プリザーブドフラワーである
請求項３記載のペット用骨壷。
【考案の詳細な説明】
【技術分野】
【０００１】
本考案は、ペット用骨壷に関する。詳しくは納骨されたペットと違和感なく日常生活を過ごすことを実現するペット用骨壷に係るものである。
【背景技術】
【０００２】
従来、亡くなったペットを偲ぶために家庭内に常置することを目的とするペット用骨壷が提案されており例えば特許文献１に記載されている。具体的には図６に示すように、陶磁器製よりなる上方を開口１０１した有底筒状の骨壷本体１０２と、この上方開口１０１を塞ぐ外蓋１０３を備えると共に、骨壷本体１０２の正面側には凹部１０４が形成され、この凹部１０４にはプレート１０５を嵌め込み状に取付けられている。このプレート１０５の表面には生前のペットなどの画像が焼付け転写されている。
【０００３】
【特許文献１】特開２００２−２２４１７８号公報
【考案の開示】
【考案が解決しようとする課題】
【０００４】
しかしながら上記した特許文献１に記載のペット用骨壷では、その骨壷本体の正面にペットの画像が焼き付けられたプレートが嵌め込まれてはいるが、骨壷のイメージが強くリビング等の調度品との調和が取れない問題がある。
【０００５】
また、一般的な骨壷は、筒状の骨壷本体に外蓋が設けられる形態のものが多く、訪問客が室内で骨壷を目にしたときに、宗教上骨壷はお墓に納骨するものであり家屋内に置くものではないために不愉快な印象を与えることがある。
【０００６】
本考案は、以上に点に鑑みて創案されたものであって、蓋に花を飾ることにより骨壷のイメージを拭い去ったオリジナルなペット用骨壷を提供することを目的とするものである。
【課題を解決するための手段】
【０００７】
上記の目的を達成するために、本考案に係るペット用骨壷は、開口部が形成された骨壷本体と、該骨壷本体の開口部を閉塞する蓋部と、前記蓋部に飾られた草花とを備える。
【０００８】
ここで、蓋部上に水を不要とした草花によって飾り付けることにより、居間のように人目の付くところに置いた場合でも違和感がなく、他の家具との調和が図られインテリア効果を奏することになる。
【０００９】
また、蓋部、あるいは骨壷本体に画像及び文字の少なくとも一方を表したプレートが設けられることにより、生前のペットの写真や名前を見ることができ、常にペットと共に生活をしているようなイメージを受けることが可能となる。
【００１０】
また、草花は、水が不要とされることにより水が零れることがなく、水遣りの手間を省くことができる。
【００１１】
また、草花が、プリザーブドフラワーとされることにより生花のような状態で水を遣らずに半年から１年をそのままの状態で飾ることが可能となる。
【考案の効果】
【００１２】
本考案のペット用骨壷によれば、骨壷の蓋を造花、あるいはプリザーブドフラワーなどの特殊花を飾れるような構造とすることにより自宅に置いても他の家具との調和が採れて全くの違和感のない骨壷となる。
【００１３】
また、生前可愛がっていたペットの骨壷を身近に置き、かつ花によって飾ることによってペットの供養にもなり、飼い主も生前のペットが身近にいるという安心感に浸ることができる。
【考案を実施するための最良の形態】
【００１４】
以下、本考案の実施の形態を図面を参酌しながら説明し、本考案の理解に供する。
図１は、本考案を適用したペット用骨壷の一例を示す斜視図、図２は、本考案を適用したペット用骨壷の外蓋の構造を示す断面説明図である。
【００１５】
ここで示すペット用骨壷１は、陶磁器製より形成されると共に上端に開口部２が形成される骨壷本体３と、この骨壷本体３の開口部２を閉塞する蓋部４とから構成されている。
【００１６】
この骨壷本体３の開口部２の内周には段部５が形成され、この段部５によって蓋部４が開口部２内に係留して開口部２を塞ぐ構成とされている。
【００１７】
また、蓋部４は骨壷本体３の開口部２の内径と略同径とされ、その周縁部下端が開口部２内の段部５に係留することにより骨壷本体３の開口部２を塞ぐ構成とされている。更に、蓋部４は花が飾られるフラワー用オアシスとしてスポンジなどの素材より形成されている。この蓋部４の外周縁をリボン６によって装飾し、スポンジの切目（図示せず。）を入れて特殊花７の茎を刺し込むことによって蓋部４上を特殊花７で飾ることができる構成とされている。
【００１８】
ここで、蓋部４に飾る花として生花を特殊加工したプリザードフラワー（以下「特殊花７」と称する。）を使用している。この特殊花７としてのプリザーブドフラワーは、生花の水分を保存料と交換させて見た目が生花と変わらないように加工されたものであり、水遣りも不要となり、しかも保存状態がよければ半永久的に長い期間を保つことができる。また、手触りも生花と変わらずしっかりと柔らかい感触を保持することができる。このプリザードフラワーは、バラ、蘭、カーネション、ラベンダーなど種々の草花を加工することができる。
【００１９】
また、保存料は食用の着色料などに使用されているものであり食べても害はなく、かつ飲んでも、肌につけても害がないので安心して使用することが可能となる。更に、直射日光を受ける場所や高温多湿の場所を避けることにより半年から１年もの間生花のようなみずみずしい状態を保持することが可能となる。
【００２０】
なお、本実施例では蓋部に飾る特殊花としてプリザードフラワーを詳述したが、必ずしもプリザードフラワーである必要性はなく、ドライフラワー、あるいは造花など水遣りを不要とし、長い期間を飾ることができるもの、あるいは水遣りを必要とし、かつ短期間での取替えが必要な生花であっても構わない。
【００２１】
また、蓋部は水遣りを不要としたプリザードフラワー、ドライフラワー、あるいは造花などの特殊花の茎を固定することができる構造とした、例えばスポンジ材の他に多数の差込穴を設けた構造の蓋（図示せず。）など蓋部上から特殊花が落ちることなく立体的に飾り付けることができる構造とされることが望ましい。
【００２２】
次に、図３は、本考案を適用したペット用骨壷の他の例を示す斜視図である。
ここで示すペット用骨壷１は、骨壷本体３の開口部２に蓋部４が嵌められる。この蓋部４は、リボン６によって装飾され、蓋部４にはプリザードフラワーによる特殊花７によって飾られている。
【００２３】
ここで、蓋部４にはアクリルなどの透明部材によって作成された２枚重ねのプレート８が立てられている。このプレート８には生前のペットの写真を挟み込み、プレート８の裏面にはペットの亡くなった日時やメッセージが記入された構成とされている。
なお、１枚状のプレートとして使用する場合には、プレートに生前のペットの画像を転写して蓋部上に設ける、あるいは骨壷本体の正面壁に取り付ける構成とすることも可能である。
【００２４】
また、図４は、本考案を適用したペット用骨壷の骨壷本体の他の例を示す説明図である。
ここで示す骨壷本体３は、図１に示すように、上端に開口部２が形成される円筒形状の白磁製の骨壷本体３に嵌め込む式の蓋部４が設けられたものではなく、室内において他の家具等と調和の採れた花瓶のような形状に形成されると共に、室内に適応したカラフルな色彩に施された陶器、ガラス製、あるいは合成樹脂製より形成された構成とされている。
そして蓋部４は、リボン６によって装飾され、蓋部４にはプリザードフラワーによる特殊花７によって飾られている。
【００２５】
また、骨壷本体３の正面側を平坦状とし、この平坦面に生前のペットが直に印刷される、あるいはプレート８が貼られた構成とされている。
なお、骨壷本体３の正面側に凹部（図示せず。）が形成され、この凹部にプレート８を嵌め込む構成としてもよい。
【００２６】
なお、本実施例では水遣りを不要とするプリザードフラワーによる特殊花について詳述するものであるが、生花により飾り付けを行う場合には、蓋部の上面を水が零れ落ちないように凹部形状とすることによって生花での飾り付けが可能となる。
【００２７】
また、図５は、本考案を適用したペット用骨壷の開口部が正面にある場合の一例を示す説明図である。
ここで示すペット用骨壷１は、正面に開口部２が形成される方形状の骨壷本体３と、この骨壷本体３の開口部２を閉塞する蓋部４とから構成されている。
【００２８】
そこで、骨壷本体３内の奥部にはペットの骨が収納された骨収納箱９が載置されると共に、開口部２には蓋部４が取り付けられる。この蓋部４は二重構造のアクリル板によって形成され、蓋部４内中央には生前のペットの写真を設け、この写真の周りにプリザードフラワーによる特殊花７を配置した構成とされている。
【００２９】
なお、アクリル板により形成される蓋部４内に収納されるペットの写真およびプリザードフラワーによる特殊花７を透明状のシリコン樹脂によって封止する構成であっても構わない。
【００３０】
以上の構成よりなる本考案のペット用骨壷では、亡くなった愛犬や愛猫との大切な思い出を共有するために、自宅の居間などに置くことができるものであり、このペット用骨壷は、蓋部の上にプリザードフラワーと呼ばれる特殊花によって飾り付けを行うことにより、骨壷本体が花瓶のようなイメージとなりインテリア効果を創出することができる。
【００３１】
また、特殊花をプリザードフラワーとすることにより、数ヶ月間水を遣らなくても生花のようなみじみずしさを保持することが可能となる。したがって、特殊花を半年、あるいは１年ごとに取り替えることによって常にみずみずしい草花で飾りつけた骨壷をインテリアとして置いておくことが可能となる。
【図面の簡単な説明】
【００３２】
【図１】本考案を適用したペット用骨壷の一例を示す斜視図である。
【図２】本考案を適用したペット用骨壷の外蓋の構造を示す断面説明図である。
【図３】本考案を適用したペット用骨壷の他の例を示す斜視図である。
【図４】本考案を適用したペット用骨壷の骨壷本体の他の例を示す説明図である。
【図５】本考案を適用したペット用骨壷の開口部が正面にある場合の一例を示す説明図である。
【図６】従来のペット用骨壷の一例を示す説明図である。
【符号の説明】
【００３３】
１      ペット用骨壷
２      開口部
３      骨壷本体
４      蓋部
５      段部
６      リボン
７      特殊花
８      プレート
９      骨収納箱
【図１】
0003142646.tif 000003
【図２】
0003142646.tif 000004
【図３】
0003142646.tif 000005
【図４】
0003142646.tif 000006
【図５】
0003142646.tif 000007
【図６】
0003142646.tif 000008